(57)【要約】【課題】挿入端子部をシャーシの穴に挿入し回転させるだけで取付けが行なえ、シャーシへの接続構造が簡略化されたＦコネクタを提供する。【解決手段】シャーシ２の穴６に挿入される挿入端子部３と、シャーシ２に取付けるためのツバ部４と、ケーブルへの接続用の外部コネクタ端子５とを一体として含む。シャーシ２は、穴６の周囲に形成された切欠き部７を有し、ツバ部４は、切欠き部７に挿入可能に変形された凹形状部８と、挿入端子部３を穴に挿入し回転させた状態で、凹形状部８においてシャーシ２を受入れ可能な隙間部９とを備える。【選択図】図１
2009016041.tif 000002
【特許請求の範囲】
【請求項１】
シャーシ内に挿入される挿入端子部と、
シャーシに取付けるためのツバ部と、
ケーブルへの接続用の外部コネクタ端子とを一体に備えたＦコネクタであって、
前記ツバ部は、
前記挿入端子部を受け入れるために前記シャーシに設けられた穴の周囲に形成された切欠き部に挿入可能に変形された凹形状部と、
前記挿入端子部を前記穴に挿入し回転させた状態で、前記凹形状部において前記シャーシを受入れ可能な隙間部とを有する、Ｆコネクタ。
【請求項２】
前記凹形状部において、前記シャーシとの接触面に傾斜を設けたことを特徴とする請求項１に記載のＦコネクタ。
【請求項３】
前記凹形状部において、前記シャーシとの対向面にフック部を設けるとともに、前記シャーシには前記フック部と係合する凹形状部を設けたことを特徴とする請求項１に記載のＦコネクタ。
【請求項４】
前記フック部を半球形状にしたことを特徴とする請求項３に記載のＦコネクタ。
【請求項５】
前記凹形状部と前記挿入端子部との間に隙間を設けたことを特徴とする請求項３または４に記載のＦコネクタ。
【請求項６】
前記ツバ部における前記凹形状部との接続部分に凹部を設けて前記凹形状部を撓み易くしたことを特徴とする請求項３から５のいずれかに記載のＦコネクタ。
【請求項７】
Ｆコネクタと、このＦコネクタを挿入する穴を有するシャーシとを備え、
前記Ｆコネクタは、
前記シャーシの前記穴に挿入される挿入端子部と、
前記シャーシに取付けるためのツバ部と、
ケーブルへの接続用の外部コネクタ端子とを一体として含み、
前記シャーシは、前記挿入端子部を受け入れるために前記シャーシに設けられた穴の周囲に形成された切欠き部を有し、
前記Ｆコネクタの前記ツバ部は、
前記切欠き部に挿入可能に変形された凹形状部と、
前記挿入端子部を前記穴に挿入し回転させた状態で、前記凹形状部において前記シャーシを受入れ可能な隙間部とを備えた、Ｆコネクタ接続構造。
【請求項８】
請求項１から６までのいずれかに記載のＦコネクタを搭載した電子装置。
【発明の詳細な説明】
【技術分野】
【０００１】
本発明は、高周波信号等を機器間で伝送する時に使用する、Ｆコネクタとその接続構造、ならびにそのＦコネクタを搭載した電子装置に関するものである。
【背景技術】
【０００２】
まず、従来のＦコネクタの構造について、図１２を用いて説明する。従来のＦコネクタ１０１の電子機器等のシャーシ１０２への接続構造は、図１２（ａ）に示すように、シャーシ１０２内に挿入される挿入端子部１０３に形成したねじ部１０４をシャーシ１０２内のねじ穴１０５にねじ込んで取付けるタイプＡと、図１２（ｂ）に示すように、別に設けたネジ１０６を用いてシャーシ１０２に取付けるタイプＢの２種類が主流であった。
【特許文献１】特開２００７−６６５９２号公報
【発明の開示】
【発明が解決しようとする課題】
【０００３】
上述のような従来のＦコネクタの接続構造においては、タイプＡの場合では挿入端子部１０３とシャーシ１０２へのネジ山の機械加工と、取り付け後の外れ防止用のネジロックなどの接着剤が必要であった。またタイプＢの場合には２次部品としてのネジ１０６が必要であり、機器の部品コストを上昇させる要因となっていた。
【０００４】
上記従来の問題点を解消するため、本発明は、Ｆコネクタの接続構造を簡素化し、部品コストの上昇を抑えた、Ｆコネクタの構造、そのシャーシへの接続構造、および、そのようなＦコネクタを搭載した電子装置を提供することを目的とする。
【課題を解決するための手段】
【０００５】
上記課題を解決するため、本発明のＦコネクタは、シャーシ内に挿入される挿入端子部と、シャーシに取付けるためのツバ部と、ケーブルへの接続用の外部コネクタ端子とを一体に備えたＦコネクタであって、ツバ部は、挿入端子部を受け入れるためにシャーシに設けられた穴の周囲に形成された切欠き部に挿入可能に変形された凹形状部と、挿入端子部を穴に挿入し回転させた状態で、凹形状部においてシャーシを受入れ可能な隙間部とを有する。
【０００６】
また、凹形状部において、シャーシとの接触面に傾斜を設けた構成としてもよい。そして、凹形状部において、シャーシとの対向面にフック部を設けるとともに、シャーシにはフック部と係合する凹形状部を設けた構成を採用してもよい。さらに、フック部を半球形状にする構成、凹形状部と挿入端子部との間に隙間を設けた構成、ツバ部における凹形状部との接続部分に凹部を設けて凹形状部を撓み易くした構成も適宜採用し得るものである。
【０００７】
さらに、上記課題を解決するための本発明のＦコネクタ接続構造では、Ｆコネクタと、このＦコネクタを挿入する穴を有するシャーシとを備え、Ｆコネクタは、シャーシの穴に挿入される挿入端子部と、シャーシに取付けるためのツバ部と、ケーブルへの接続用の外部コネクタ端子とを一体として含み、シャーシは、挿入端子部を受け入れるためにシャーシに設けられた穴の周囲に形成された切欠き部を有し、Ｆコネクタのツバ部は、切欠き部に挿入可能に変形された凹形状部と、挿入端子部を穴に挿入し回転させた状態で、凹形状部においてシャーシを受入れ可能な隙間部とを有する。
【発明の効果】
【０００８】
本発明によれば、挿入端子部をシャーシの穴に挿入し回転させるだけでＦコネクタのシャーシへの取付けが行え、取り付け構造が簡略化され、機械加工及び２次部品を廃止することができるので、コストダウンを図ることができる。
【発明を実施するための最良の形態】
【０００９】
以下、本発明の実施の形態を、図面に基づいて説明する。
（実施の形態１）
本発明の実施の形態１におけるＦコネクタの接続構造を、図１および図２に示す。Ｆコネクタ１は、シャーシ２内に挿入される挿入端子部３と、シャーシ２に取付けるためのツバ部４と、ケーブル（図示せず）への接続用の外部コネクタ端子５とを一体に備えた構成を有する。そして、シャーシ２においては、挿入端子部３を受け入れるため穴６が設けられ、さらに穴６の周囲には切欠き部７が形成されている。そして、Ｆコネクタ１のツバ部４には、シャーシ２の切欠き部７に挿入可能に変形された凹形状部８と、挿入端子部３を穴６に挿入し回転させた状態で、凹形状部８においてシャーシ２を受け入れるための隙間部９が設けられている。
【００１０】
このような構成において、挿入端子部３を穴６に挿入し、シャーシ２の切欠き部７に位置あわせして、凹形状部８を挿入したあと、Ｆコネクタを回転させると、凹形状部８において設けた隙間部９にシャーシ２の切欠き部７の端７ａが挿入される。隙間部９とシャーシ２の厚み寸法の関係を、締まりバメ関係にすることにより、Ｆコネクタ１はシャーシ２に固定される。なお、挿入端子部３には、高周波信号等の内部接続用の端子３ａが設けられている。
【００１１】
（実施の形態２）
本発明の実施の形態２におけるＦコネクタの接続構造を、図３により説明する。本実施の形態において、実施の形態１と同じ構成については、同一番号を付し説明を省略する。本実施の形態２のＦコネクタ１０は、シャーシ２に取付けるためのツバ部１１の凹形状部１２における、シャーシ２との接触面１２ａに傾斜を設けている。
【００１２】
このような構成においては、挿入端子部３を穴６に挿入し、シャーシ２の切欠き部７に位置合わせして、凹形状部１２を挿入したあと、Ｆコネクタ１０を回転させると、Ｆコネクタ１０を回転させると、隙間部９にシャーシ２の切欠き部７の端７ａが挿入される際、ツバ部１１の凹形状部１２における、シャーシ２との接触面１２ａに５度から１０度程度の傾斜を設けているので、接触面１２ａがシャーシとより密着することになり、Ｆコネクタ１０はシャーシ２によりしっかりと固定される。
【００１３】
（実施の形態３）
本発明の実施の形態３におけるＦコネクタの接続構造を、図４および図５により説明する。本実施の形態において、実施の形態１と同じ構成については、同一番号を付し説明を省略する。本実施の形態３のＦコネクタ１３は、シャーシ２に取付けるためのツバ部１４の凹形状部１５において、シャーシ２との対向面１５ａにフック部１６を設けるとともに、シャーシ２にはフック部１６と係合する溝１７を設けた構成を採用している。
【００１４】
このような構成においては、挿入端子部３を穴６に挿入し、シャーシ２の切欠き部７に位置合わせして、凹形状部１５を挿入したあと、Ｆコネクタ１３を回転させると、隙間部９にシャーシ２の切欠き部７の端７ａが挿入され、ツバ部１４の凹形状部１５における、シャーシ２との対向面１５ａにフック部１６を設けているので、このフック部１６がシャーシ２の対応する位置に設けた溝１７と係合し、Ｆコネクタ１３はシャーシ２によりしっかりと固定される。
【００１５】
（実施の形態４）
本発明の実施の形態４におけるＦコネクタの接続構造を、図６により説明する。本実施の形態において、実施の形態３と同じ構成については、同一番号を付し説明を略する。本実施の形態４のＦコネクタ１８は、シャーシ２に取付けるためのツバ部１９の凹形状部２０において、シャーシ２との対向面２０ａにフック部２１を設けるとともに、凹形状部２０と挿入端子部３との間に隙間２６を設けた構成としている。
【００１６】
このような構成においては、挿入端子部３を穴６に挿入し、シャーシ２の切欠き部７に位置合わせして、凹形状部２０を挿入したあと、Ｆコネクタ１８を回転させると、隙間部９にシャーシ２の切欠き部７の端７ａが挿入され、凹形状部２０と挿入端子部３との間に隙間２６を設けているので、凹形状部２０が撓み易くなり、フック部２１がシャーシ２の対応する位置に設けた溝１７と係合し易くなり、Ｆコネクタ１８はシャーシ２によりしっかりと固定される。
【００１７】
（実施の形態５）
本発明の実施の形態５におけるＦコネクタの接続構造を、図７により説明する。本実施の形態において、実施の形態４と同じ構成については、同一番号を付し説明を略する。本実施の形態５のＦコネクタ２２は、シャーシ２に取付けるためのツバ部２３の凹形状部２４において、シャーシ２との対向面２４ａにフック部２５を設けるとともに、凹形状部２４と挿入端子部３との間に隙間２６を設けた構成としている。そして、ツバ部２３における凹形状部２４との接続部分に凹部２７を設けて凹形状部２４を撓み易くしたものである。
【００１８】
このような構成においては、挿入端子部３を穴６に挿入し、シャーシ２の切欠き部７に位置合わせして、凹形状部２４を挿入したあと、Ｆコネクタ２２を回転させると、隙間部９にシャーシ２の切欠き部７の端７ａが挿入され、凹形状部２４と挿入端子部３との間に隙間２６を設け、さらにツバ部２３における凹形状部２４との接続部分に凹部２７を設けているので、凹形状部２４が撓み易くなり、フック部２５がシャーシ２の対応する位置に設けた溝１７と係合し易くなり、Ｆコネクタ２２はシャーシ２によりしっかりと固定される。
【００１９】
（実施の形態６）
本発明の実施の形態６におけるＦコネクタの接続構造を、図８および９により説明する。本実施の形態において、実施の形態１と同じ構成については、同一番号を付し説明を省略する。本実施の形態６のＦコネクタ２８は、シャーシ２に取付けるためのツバ部２９の凹形状部３０において、シャーシ２との対向面３０ａに半球形状のフック部３１を設けている。また、シャーシ２にはフック部３１と係合する位置に窪み１７ａを設けている。
【００２０】
このような構成においては、挿入端子部３を穴６に挿入し、シャーシ２の切欠き部７に位置合わせして、凹形状部３０を挿入したあと、Ｆコネクタ２８を回転させると、隙間部９にシャーシ２の切欠き部７の端７ａが挿入され、フック部３１がシャーシ２の対応する位置に設けた窪み１７ａと係合し、Ｆコネクタ２８はシャーシ２にしっかりと固定される。
【００２１】
（実施の形態７）
本発明の実施の形態７におけるＦコネクタの接続構造を、図１０により説明する。本実施の形態において、実施の形態６と同じ構成については、同一番号を付し説明を省略する。本実施の形態７のＦコネクタ３２は、シャーシ２に取付けるためのツバ部３３の凹形状部３４において、シャーシ２との対向面３４ａに半球形状のフック部３１を設けた構成に加えて、凹形状部３４と挿入端子部３との間に隙間３５を設けた構成としている。シャーシ２にはフック部３１と係合する位置に窪み１７ａを設けている。
【００２２】
このような構成においては、挿入端子部３を穴６に挿入し、シャーシ２の切欠き部７に位置合わせして、凹形状部３４を挿入したあと、Ｆコネクタ３２を回転させると、隙間部９にシャーシ２の切欠き部７の端７ａが挿入される。凹形状部３４と挿入端子部３との間に隙間３５を設けているので、凹形状部３４が撓み易くなっており、フック部３１がシャーシ２の対応する位置に設けた窪み１７ａと係合し易くなり、Ｆコネクタ３２はシャーシ２によりしっかりと固定される。
【００２３】
（実施の形態８）
本発明の実施の形態８におけるＦコネクタの接続構造を、図１１により説明する。本実施の形態において、実施の形態７と同じ構成については、同一番号を付し説明を省略する。本実施の形態８のＦコネクタ３６は、シャーシ２に取付けるためのツバ部３７の凹形状部３８において、シャーシ２との対向面３８ａに半球形状のフック部３１を設けた構成に加えて、凹形状部３８と挿入端子部３との間に隙間３５を設け、さらにツバ部３７における凹形状部３８との接続部分に凹部３９を設けて凹形状部３８を撓み易くした構成としている。
【００２４】
このような構成においては、挿入端子部３を穴６に挿入し、シャーシ２の切欠き部７に位置合わせして、凹形状部３８を挿入したあと、Ｆコネクタ３６を回転させると、隙間部９にシャーシ２の切欠き部７の端７ａが挿入される。凹形状部３８と挿入端子部３との間に隙間３５を設け、さらに凹形状部３８との接続部分に凹部３９を設けているので、凹形状部３８が撓み易くなっており、フック部３１がシャーシ２の対応する位置に設けた窪み１７ａとより係合し易くなり、Ｆコネクタ３６はシャーシ２によりしっかりと固定される。
【００２５】
本発明のＦコネクタ接続構造は、上記各実施の形態に共通構成として、Ｆコネクタと、このＦコネクタを挿入する穴を有するシャーシとを備え、Ｆコネクタは、シャーシの穴に挿入される挿入端子部と、シャーシに取付けるためのツバ部と、ケーブルへの接続用の外部コネクタ端子とを一体として含み、シャーシは、挿入端子部を受け入れるためにシャーシに設けられた穴の周囲に形成された切欠き部を有し、Ｆコネクタのツバ部は、切欠き部に挿入可能に変形された凹形状部と、挿入端子部を穴に挿入し回転させた状態で、凹形状部においてシャーシを受入れ可能な隙間部とを備えた、基本構成を有し、挿入端子部をシャーシの穴に挿入し回転させるだけでＦコネクタのシャーシへの取付けが行え、取り付け構造が簡略化され、機械加工及び２次部品を廃止する事が出来る作用効果を有する。
【００２６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２７】
本発明は、衛星放送用受信機をはじめとする高周波帯域等の通信機器等に使用可能である。
【図面の簡単な説明】
【００２８】
【図１】（ａ）本発明の実施の形態１におけるＦコネクタの正面図、（ｂ）同平面図、（ｃ）同斜視図である。
【図２】（ａ）本発明の実施の形態１におけるシャーシの平面図、（ｂ）同斜視図、（ｃ）本発明の実施の形態１におけるシャーシの（ａ）におけるＩＩｃ−ＩＩｃ線断面を示す図である。
【図３】（ａ）本発明の実施の形態２におけるＦコネクタの正面図、（ｂ）同平面図、（ｃ）同斜視図である。
【図４】（ａ）本発明の実施の形態３におけるＦコネクタの正面図、（ｂ）同平面図、（ｃ）同斜視図である。
【図５】（ａ）本発明の実施の形態３におけるシャーシの平面図、（ｂ）同斜視図、（ｃ）本発明の実施の形態３におけるシャーシの要部断面図である。
【図６】（ａ）本発明の実施の形態４におけるＦコネクタの正面図、（ｂ）同平面図、（ｃ）同斜視図である。
【図７】（ａ）本発明の実施の形態５におけるＦコネクタの正面図、（ｂ）同平面図、（ｃ）同斜視図である。
【図８】（ａ）本発明の実施の形態６におけるＦコネクタの正面図、（ｂ）同平面図、（ｃ）同斜視図である。
【図９】（ａ）本発明の実施の形態６におけるシャーシの平面図、（ｂ）同斜視図、（ｃ）本発明の実施の形態３におけるシャーシの要部断面図である。
【図１０】（ａ）本発明の実施の形態７におけるＦコネクタの正面図、（ｂ）同平面図、（ｃ）同斜視図である。
【図１１】（ａ）本発明の実施の形態８におけるＦコネクタの正面図、（ｂ）同平面図、（ｃ）同斜視図である。
【図１２】（ａ）従来のＦコネクタにおけるタイプＡの斜視図、（ｂ）従来のＦコネクタ１０１のタイプＢの分解斜視図である。
【符号の説明】
【００２９】
１，１０，１３，１８，２２，２８，３２，３６  Ｆコネクタ、２  シャーシ、３  挿入端子部、４  ツバ部、５  外部コネクタ端子、６  穴、７  切欠き部、８，１２，１５，２０，２４，３０，３４，３８  凹形状部、９  隙間部、１２ａ  傾斜、１６，２１，３１  フック部、１７，１７ａ  溝、２２，２６，３５  隙間、２７，３９  凹部。
【図１】
2009016041.tif 000003
【図２】
2009016041.tif 000004
【図３】
2009016041.tif 000005
【図４】
2009016041.tif 000006
【図５】
2009016041.tif 000007
【図６】
2009016041.tif 000008
【図７】
2009016041.tif 000009
【図８】
2009016041.tif 000010
【図９】
2009016041.tif 000011
【図１０】
2009016041.tif 000012
【図１１】
2009016041.tif 000013
【図１２】
2009016041.tif 000014